(57)【要約】      （修正有）【課題】新しいスタイルの壁面収納装置として家電機器の組み込みを可能にし、それを良好な外観で実現するとともに、組み込んだ家電機器の利用、操作が容易であり、かつ食器や備品などの物品の収納および取り出しが容易でもある壁面収納装置を提供すること。【解決手段】壁面に備え付けられる壁面収納装置１であって、家電機器５、６が組み込まれる家電収納部７と物品の収納が可能な物品収納部８とが組み合わされて横一列に並設され、これら家電収納部および物品収納部が載置され、家電収納部および物品収納部を下方より支持する、床面１０上に配置される下部支持部４が配設され、下部支持部の前端部が、家電収納部および物品収納部の前端部よりも後方に位置している。【選択図】図１
2007259909.tif 000002
【特許請求の範囲】
【請求項１】
壁面に備え付けられる壁面収納装置であって、家電機器が組み込まれる家電収納部と物品の収納が可能な物品収納部とが組み合わされて横一列に並設され、これら家電収納部および物品収納部が載置され、家電収納部および物品収納部を下方より支持する、床面上に配置される下部支持部が配設され、下部支持部の前端部が、家電収納部および物品収納部の前端部よりも後方に位置していることを特徴とする壁面収納装置。
【請求項２】
下部支持部は、内部に収納スペースが形成され、物品収納部とされている請求項１記載の壁面収納装置。
【発明の詳細な説明】
【技術分野】
【０００１】
本願発明は、キッチンの壁面に備え付けられる壁面収納装置に関する。
【背景技術】
【０００２】
従来、キッチンに設置される、食器や備品などの物品を収納可能とした収納装置として、キッチンの壁面に備え付けられる壁面収納装置が提供されてきている。
【０００３】
一方、キッチンに設置される収納装置には、レンジ、オーブンなどの家電機器が組み込まれるものが知られている（たとえば、特許文献１参照）。収納装置の、前面のみ開放された部分にレンジ、オーブンなどの家電機器が、いわゆるビルト・イン式に組み込まれる。
【特許文献１】特開２００２−２５７３５４号公報
【発明の開示】
【発明が解決しようとする課題】
【０００４】
しかしながら、壁面収納装置に家電機器を組み込もうとすると、キッチンの壁面が家電機器を支えきれず、壁面収納装置が壁面から脱落するおそれがある。
【０００５】
したがって、家電機器を組み込んだ状態で壁面収納装置が安定に設置されることが必要である。しかも、見栄えよくそれを実現する必要がある。さらに、この場合、組み込んだ家電機器の利用、操作が容易であることならびに食器や備品などの物品の収納および取り出しが容易であることが必要とされる。
【０００６】
本願発明は、このような事情に鑑みてなされたものであり、新しいスタイルの壁面収納装置として家電機器の組み込みを可能にし、それを良好な外観で実現するとともに、組み込んだ家電機器の利用、操作が容易であり、かつ食器や備品などの物品の収納および取り出しが容易でもある壁面収納装置を提供することを課題としている。
【課題を解決するための手段】
【０００７】
本願発明は、上記の課題を解決するために、第１に、壁面に備え付けられる壁面収納装置であって、家電機器が組み込まれる家電収納部と物品の収納が可能な物品収納部とが組み合わされて横一列に並設され、これら家電収納部および物品収納部が載置され、家電収納部および物品収納部を下方より支持する、床面上に配置される下部支持部が配設され、下部支持部の前端部が、家電収納部および物品収納部の前端部よりも後方に位置していることを特徴としている。
【０００８】
本願発明は、第２に、下部支持部は、内部に収納スペースが形成され、物品収納部とされていることを特徴としている。
【発明の効果】
【０００９】
本願の第１の発明によれば、家電収納部と物品収納部とが組み合わされ、横一列に並設されるため、テレビ、レンジ、オーブンなどの家電機器を見栄えよく組み込むことができる。しかも、家電収納部は、物品収納部とともに下部支持部により下方より支持されるため、家電機器が組み込まれた状態で安全に支持される。設置安定性の高い壁面収納装置が実現される。さらに、下部支持部の前面部が、家電収納部および物品収納部の前面部よりも後方に位置しているため、下部収納部の前方に蹴込み様の凹所が形成され、家電収納部に組み込まれた家電機器および物品収納部に接近することができ、家電機器の利用、操作とともに、食器や備品などの物品の収納および取り出しを容易に行うことができる。
【００１０】
本願の第２の発明によれば、下部支持部は、内部に収納スペースが形成され、物品収納部ともされているので、物品の収納量の増大が図れる。
【発明を実施するための最良の形態】
【００１１】
図１、図２は、それぞれ、本願発明の壁面収納装置の一実施形態を示した正面図、側面図である。
【００１２】
図１および図２に示したように、壁面収納装置１は、キッチンの壁面２に備え付けられる据え置きタイプの収納装置である。壁面収納装置１は、上部収納部３と下部支持部４とから形成されている。
【００１３】
上部収納部３は、テレビ５、レンジ、オーブン６などの家電機器が、いわゆるビルト・イン式で組み込まれる家電収納部７と、食器や備品などの物品を内部に収納可能とした物品収納部８とが組み合わされて横一列に並置されて形成されている。
【００１４】
図１に示したように、家電収納部７は、上部収納部３の中央に配置され、その両脇に物品収納部８が配置されている。中央に家電収納部７を配置することによってまとまりのある外観を形成している。もちろん、家電収納部７と物品収納部８との組み合わせ形態は、図１に示した形態の他にも可能である。キッチンでの作業性や外観などを考慮して適宜なものとすることができる。テレビ５、レンジ、オーブン６などの家電機器が、見栄えよく上部収納部３に組み込まれる。
【００１５】
家電収納部７は、前面が開放され、テレビ５、レンジ、オーブン６などの家電機器を後方に向けて家電収納部７の内部に組み込むことができるようにしている。物品収納部８は、前面に開き戸９を有し、開き戸９の回動により開閉されるようにしている。内部は、棚によって上下に仕切ることができ、収納する物品の大きさに合わせた収納スペースを形成することができる。開き戸９は引戸に替えることもでき、また、物品収納部８を上下に区画し、区画されたスペース内に前後に出し入れ可能な引き出しを設け、その前板によって前面部が形成されるようにしてもよい。
【００１６】
下部支持部４は、上部収納部３の下側に配置され、キッチンの床面１０上に設置されている。この下部支持部４の上に上部収納部３が載置されている。したがって、上部収納部３を形成する家電収納部７は、物品収納部８とともに、下部支持部４によって下方より支持され、テレビ５、レンジ、オーブン６などの家電機器が組み込まれた状態で安全に支持される。組み込まれた家電機器の重量を下部支持部４が受け、上部収納部３の壁面２からの脱落を防止する。このため、壁面収納装置１の設置安定性は高く確保されている。
【００１７】
このように上部収納部３は下部支持部４の上に載置され、人が立ったときの腰から首までの範囲、すなわち、ＵＤ（ユニバーサル・デザイン）ゾーンに設置されている。たとえば、下部支持部４の高さは床面１０から７００〜１０００ｍｍ、上部収納部３の高さは５００〜７００ｍｍとすることができる。下部支持部４および上部収納部３の高さを上記範囲内とすることにより、上部収納部３は、ほぼ人の胸の位置に配置され、家電機器の操作、開き戸９の開閉操作が容易となる。図１に示した壁面収納装置１では、具体的には、下部支持部４の床面１０からの高さを８５０ｍｍ、上部収納部３の高さを６００ｍｍにしている。
【００１８】
また、下部支持部４は、図２に示したように、奥行きを上部収納部３の奥行きの略半分などとして、前端部が上部収納部３の前端部よりも後方に位置するように配置されている。このように下部支持部４の前端部を上部収納部３の前端部よりも後方に位置させることにより、下部支持部４の前方に、キッチンキャビネットの下端縁部に形成されている蹴込みのような凹所１１を形成することができる。つまり、凹所１１によって、図１に示した家電収納部７に組み込まれたテレビ５、レンジ、オーブン６などの家電機器および物品収納部８に接近することができる。このため、家電機器の利用、操作が容易となり、また、食器や備品などの物品の収納および取り出しが容易となる。このように、壁面収納装置１は、使い勝手にも優れている。
【００１９】
下部支持部４は、さらに、単に上部収納部３を支持するだけのものでなく、内部に収納スペースを形成し、物品収納部とすることができる。棚によって物品の大きさに合わせて上下に仕切るなどして食器や備品などの物品を収納することができる。前面開口部には開き戸９または引戸を設け、開閉自在とすることができる。このように、下部支持部４を物品収納部とすることによって、壁面収納装置１の物品の収納量が増大する。
【００２０】
図３は、本願発明の壁面収納装置のキッチン壁面への備え付け構造の一形態を示した断面図である。
【００２１】
図３に示した備え付け構造では、壁面収納装置１の上部収納部３および下部支持部４を形成する上板１２および底板１３の後端が、キッチンの壁面２に当接するように配置されている。上部収納部３および下部支持部４の背板１４は、上板１２および底板１３の後端よりやや前寄りに配置され、壁面２との間に、上部収納部３、下部支持部４をそれぞれ壁面２に固定するための固定具１５を収める隙間１６が形成されるようにしている。
【００２２】
固定具１５は、キッチンの壁面２に固定される係止具１７と、上部収納部３および下部支持部４の背板１４の裏面に固定される引っ掛け具１８とからなっている。係止具１７は、平板状の固定部１７ａと、固定部１７ａに突設された断面略Ｌ字型形状を有する係止部１７ｂとを備えている。引っ掛け具１８は、平板状の固定部１８ａと、固定部１８ａに突設された断面略逆Ｌ字型形状を有する引っ掛け部１８ｂとを備えている。係止具１７の係止部１７ｂに引っ掛け具１８の引っ掛け部１８ｂを引っ掛け、係止させることにより、上部収納部３および下部支持部４の固定が可能となっている。
【００２３】
壁面収納装置１をキッチンの壁面２に備え付ける際には、まず、上部収納部３および下部支持部４の背板１４に引っ掛け具１８を取り付ける。固定部１８ａを背板１４の裏面に当接させ、ビスによって引っ掛け具１８を背板１４の上下２箇所に取り付ける。次いで、キッチンの壁面２の、上部収納部３および下部支持部４に取り付けた引っ掛け具１８に対応する部位に係止具１７を取り付ける。固定部１７ａを壁面２に当接させ、ビスによって係止具１７を壁面２の上下４箇所に取り付ける。
【００２４】
この後、下部支持部４を上方より床面１０上に配置し、引っ掛け具１８の引っ掛け部１８ｂを係止具１７の係止部１７ｂに引っ掛け、係止させる。下部支持部４の上板１２および底板１３の後端はキッチンの壁面２に当接し、背板１４との間に形成される隙間１６に係止具１７および引っ掛け具１８が収まる。下部支持部４がキッチンの壁面２に固定される。
【００２５】
そして、上部収納部３を、キッチンの壁面２に固定された下部支持部４の上に載置し、引っ掛け具１８の引っ掛け部１８ｂを係止具１７の係止部１７ｂに引っ掛け、係止させる。下部支持部４の上板１２および底板１３の後端はキッチンの壁面２に当接し、背板１４との間に形成される隙間１６に係止具１７および引っ掛け具１８が収まる。上部収納部３がキッチンの壁面２に固定される。
【００２６】
こうして、壁面収納装置１が、キッチンの壁面２に当接して備え付けられる。
【００２７】
もちろん、本願発明の壁面収納装置では、固定具１５の構成をはじめとする備え付け構造については様々な態様が可能である。たとえば、固定具１５を用いずに、背板１４を上板１２および底板１３の後端部に配置し、上板１２および底板１３の後端とともに背板１４の裏面をキッチンの壁面２に当接させ、背板１４の表面側からビスをねじ込み、上部収納部３および下部支持部４を直接キッチンの壁面２に固定することも可能である。
【図面の簡単な説明】
【００２８】
【図１】本願発明の壁面収納装置の一実施形態を示した正面図である。
【図２】図１に示した壁面収納装置の側面図である。
【図３】本願発明の壁面収納装置のキッチン壁面への備え付け構造の一形態を示した断面図である。
【符号の説明】
【００２９】
１    壁面収納装置
２    壁面
３    上部収納部
４    下部支持部
５    テレビ
６    オーブン
７    家電収納部
８    物品収納部
９    開き戸
１０    床面
１１    凹所
１２    上板
１３    底板
１４    背板
１５    固定具
１６    隙間
１７    係止具
１７ａ    固定部
１７ｂ    係止部
１８    引っ掛け具
１８ａ    固定部
１８ｂ    引っ掛け部
【図１】
2007259909.tif 000003
【図２】
2007259909.tif 000004
【図３】
2007259909.tif 000005